(57)【特許請求の範囲】
【請求項１】
互いに異なる光色で発光する３系統以上の複数の光源部と；
前記３系統以上の複数の光源部のうちの２系統の光源部の調光を制御するための調光信号を受信する調光信号受信部と；
前記複数の光源部のそれぞれの発光を独立して制御する複数の駆動制御部と；
前記調光信号による調光制御とは独立した調光制御を行うための付加情報を発生する付加情報発生部と；
前記調光信号及び前記付加情報に基づいて前記３系統以上の複数の光源部の発光をそれぞれ独立して制御するための調光信号を発生して前記駆動制御部に与える調光レベル決定部と；
を具備する照明装置。
【請求項２】
前記付加情報は、日時に関する情報である
請求項１に記載の照明装置。
【請求項３】
前記付加情報は、人の検知情報又は周囲の明るさ情報である
請求項１に記載の照明装置。
【請求項４】
周囲環境を検知するセンサを具備し、
前記付加情報発生部は、前記センサの出力に基づいて前記付加情報を発生する
請求項１に記載の照明装置。
【請求項５】
前記付加情報発生部は、周囲環境を検知する外部のセンサの出力に基づいて前記付加情報を発生する
請求項１に記載の照明装置。
【請求項６】
前記付加情報発生部は、外部のネットワークからの情報に基づいて前記付加情報を発生する
請求項１に記載の照明装置。
【請求項７】
互いに異なる光色で発光する３系統以上の複数の光源部と；
前記３系統以上の複数の光源部のうちの２系統の光源部の調光を制御するための調光信号を受信する調光信号受信部と；
前記複数の光源部のそれぞれの発光を独立して制御する複数の駆動制御部と；
前記調光信号に基づいて前記３系統以上の複数の光源部の発光をそれぞれ独立して制御するための調光信号を発生して前記駆動制御部に与える調光レベル決定部と；
を具備する照明装置。
【発明の詳細な説明】
【技術分野】
【０００１】
本発明の実施形態は、照明装置に関する。
【背景技術】
【０００２】
発光ダイオード（Light Emitting Diode：ＬＥＤ）、有機発光ダイオード（Organic Light Emitting Diode：ＯＬＥＤ）など、発光色を選択することが可能な光源が開発され、これらの光源を用いることにより光量および光色を任意に変化させることが可能な照明装置を実現することができる。
【０００３】
発光色の異なる複数の光源を含む照明装置では、各光色の光源に対して、それぞれ独立に調光制御を行うことが好ましい。これにより、照明装置の発光色を任意に制御し、その演色性を向上させることが可能となる。しかしながら、各光色の光源を独立に制御するためには、光色の数と同数の制御信号を供給する必要がある。このため、照明装置を制御するための信号系統が多くなり、器具を施工する際に信号系統の接続が煩雑となる。また、照明装置の製造コストも上昇する。
【先行技術文献】
【特許文献】
【０００４】
【特許文献１】特許第４６６１２９２号
【発明の概要】
【発明が解決しようとする課題】
【０００５】
本発明の実施形態は、調光信号の系統数を削減すると共に多様な演出方法での照明を行うことができる照明装置を提供することを目的とする。
【課題を解決するための手段】
【０００６】
実施形態に係る照明装置は、互いに異なる光色で発光する３系統以上の複数の光源部と；前記３系統以上の複数の光源部のうちの２系統の光源部の調光を制御するための調光信号を受信する調光信号受信部と；前記複数の光源部のそれぞれの発光を独立して制御する複数の駆動制御部と；前記調光信号による調光制御とは独立した調光制御を行うための付加情報を発生する付加情報発生部と；前記調光信号及び前記付加情報に基づいて前記３系統以上の複数の光源部の発光をそれぞれ独立して制御するための調光信号を発生して前記駆動制御部に与える調光レベル決定部とを具備する。
【発明の効果】
【０００７】
本発明の実施形態によれば、調光信号の系統数を削減すると共に多様な演出方法での照明を行うことができるという効果を有する。
【図面の簡単な説明】
【０００８】
【図１】第１の実施の形態に係る照明装置１０を示すブロック図。
【図２Ａ】実施形態に係る照明装置１０を例示する模式図。
【図２Ｂ】図２Ａ中の透光性カバー２１の内部に配置される基板２２，２３を示す模式平面図。
【図２Ｃ】図２Ａ中の透光性カバー２１の内部に配置される基板２４を示す模式平面図。
【図３】実施形態に係る照明装置１０の調光レベル決定部１２を示すブロック図。
【図４】第２の実施の形態を示すブロック図。
【図５】第３の実施の形態を示すブロック図。
【図６】第４の実施の形態を示すブロック図。
【発明を実施するための最良の形態】
【０００９】
本実施の形態の照明装置は、第１の系統数の調光信号を受信する調光信号受信部と；互いに異なる光色で発光し前記第１の系統数よりも多い数の複数の光源部と；前記複数の光源部のそれぞれの発光を独立して制御する複数の駆動制御部と；前記調光信号による調光制御とは独立した調光制御を行うための付加情報を発生する付加情報発生部と；前記調光信号及び前記付加情報に基づいて前記複数の光源の発光をそれぞれ独立して制御するための調光信号を発生して前記駆動制御部に与える調光レベル決定部と；を具備する。
【００１０】
また、前記付加情報は、日時に関する情報である。
【００１１】
また、前記付加情報は、人の検知情報又は周囲の明るさ情報である。
【００１２】
また、本実施の形態の照明装置は、周囲環境を検知するセンサを具備し、前記付加情報発生部は、前記センサの出力に基づいて前記付加情報を発生する。
【００１３】
また、前記付加情報発生部は、周囲環境を検知する外部のセンサの出力に基づいて前記付加情報を発生する。
【００１４】
また、前記付加情報発生部は、外部のネットワークからの情報に基づいて前記付加情報を発生する。
【００１５】
以下、図面を参照して本発明の実施の形態について詳細に説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【００１６】
以下に説明する実施形態は例示であり、本発明をこれらの例に限定するものではない。また、各実施例に記載した構成要素は、その例に限定されるものではなく、技術的に可能であれば共通に適用できるものである。
（第１の実施の形態）
図１は第１の実施の形態に係る照明装置１０を例示するブロック図である。図１に示すように、照明装置１０は、調光信号受信部１１ａ，１１ｂ、調光レベル決定部１２、駆動制御部１３ａ〜１３ｅ、光源部１４ａ〜１４ｅ及び付加情報発生部１５を備える。
【００１７】
従来、電球色及び昼光色の２色の発光色で照明を行う照明器具が商品化されている。このような照明器具では、２系統の調光信号によって、各発光色の光源が調光制御される。更に、例えば、Ｒ（赤）光、Ｇ（緑）光、Ｂ（青）光を発生するＬＥＤ光源を採用することで、任意の発光色で発光させる光源を組み合わせた照明器具も考えられる。本実施の形態は、このような３種類以上の光源の調光制御を、光源の数よりも少ない系統数の調光信号によって制御するものである。
【００１８】
更に、本実施の形態においては、調光信号だけでなく、調光信号による照明制御とは独立した制御のための情報であって、時間の経過や入力される情報等に基づいて変化する付加情報を用いて、光源を自動的に調光制御するようになっている。
【００１９】
図１では、従来、電球色及び昼光色で発光する照明器具の調光操作が一般的であったことを考慮して、２系統の調光信号を用いて、３種類以上（図１では５種類）の光源の調光制御を行う例について説明するが、調光信号の系統数よりも多い数の光源を制御するものであれば、調光信号の系統数及び光源の数は適宜設定可能である。
【００２０】
調光信号受信部１１ａ，１１ｂは、それぞれ調光信号Ｖｓｉ１，Ｖｓｉ２を受信して、受信した調光信号を調光レベル決定部１２に出力する。調光レベル決定部１２は、ｎ系統の調光信号をｎ＋１系統以上の調光信号に変換する。ここで「ｎ」は、１以上の整数である。図１の例では、調光レベル決定部１２は、２つの調光信号Ｖｓｉ１、Ｖｓｉ２を５つの調光信号Ｖｓｏ１〜Ｖｓｏ５に変換する。
【００２１】
駆動制御部１３ａ〜１３ｅは、それぞれ光源部１４ａ〜１４ｅの点灯を制御するものであり、光源部１４ａ〜１４ｅに対応した安定器や電源回路等によって構成されている。駆動制御部１３ａ〜１３ｅは、それぞれ、調光レベル決定部１２からの調光信号Ｖｓｏ１〜Ｖｓｏ５が入力され、調光信号Ｖｓｏ１〜Ｖｓｏ５に基づいて光源部１４ａ〜１４ｅをそれぞれ駆動して調光することができるようになっている。例えば、駆動制御部１３ａ〜１３ｅは、光源部１４ａ〜１４ｅの特性に応じて、電圧制御、電流制御又はＰＷＭ制御等の各種制御により、光源部１４ａ〜１４ｅを調光する。
【００２２】
なお、駆動制御部１３ａ〜１３ｅは、駆動する光源部１４ａ〜１４ｅによっては、１つの光源部を複数台の安定器や電源回路等によって駆動するように構成されることもある。
【００２３】
調光レベル決定部１２および駆動制御部１３ａ〜１３ｅは、一体の点灯回路として構成されてもよい。すなわち、１つの点灯回路が、調光レベル決定部１２および駆動制御部１３ａ〜１３ｅの各機能を備える構成であってもよい。ここで、調光レベル決定部１２および駆動制御部１３ａ〜１３ｅは、それぞれ明示的に分離される必要はない。
【００２４】
光源部１４ａ〜１４ｅは、例えば、相互に異なる発光色で発光することができる。光源部１４ａ〜１４ｅとしてＬＥＤを採用してもよい。例えば、光源部１４ａ，１４ｂは、電球色又は昼光色で発光するＬＥＤによって構成してもよく、光源部１４ｃ〜１４ｅは、それぞれＲ（赤）光、Ｇ（緑）光、Ｂ（青）を発生するＬＥＤによって構成してもよい。光源部１４ａ〜１４ｅは、駆動制御部１３ａ〜１３ｅによってそれぞれ調光制御される。例えば、光源部１４ａ〜１４ｅは、調光レベル決定部１２からの調光信号Ｖｓｏ１〜Ｖｓｏ５に対応したＰＷＭ信号によってそれぞれ調光点灯される。
【００２５】
図２Ａは実施形態に係る照明装置１０を例示する模式図である。照明装置１０は、例えば、埋め込み形のベースライトである。図２Ａは、照明装置１０の拡散性を有する透光性カバー２１を下方から見た模式平面図である。また、図２Ｂ及び図２Ｃは図２Ａ中の透光性カバー２１の内部に配置される基板２２，２３および２４をそれぞれ示す模式平面図である。
【００２６】
図２Ａに示すように、照明装置１０は、基板２２，２３と基板２４とを備える。基板２４は、例えば、２つの基板２２，２３の間に配置される。図２Ｂに示すように、基板２２，２３には、光源部１４ａを構成する発光部Ｌ１と光源部１４ｂを構成する発光部Ｌ２とがそれぞれ複数実装されている。また、図２Ｃに示すように、基板２４には、光源部１４ｃ〜１４ｅをそれぞれ構成する発光部ＬＲ，ＬＧ，ＬＢがそれぞれ複数実装されている。
【００２７】
発光部Ｌ１は、例えば、昼光色ＬＥＤにより構成され、発光部Ｌ２は、例えば、電球色ＬＥＤによって構成される。発光部Ｌ１の発光色の色温度は、発光部Ｌ２の発光色の色温度よりも高い。このように、照明装置１０は、基板２２，２３上に昼光色の発光部Ｌ１による光源部１４ａと、電球色の発光部Ｌ２による光源部１４ｂとを備え、光源部１４ａの発光部Ｌ１の輝度および光源部１４ｂの発光部Ｌ２の輝度をそれぞれ独立に制御することにより、昼光色と電球色との間における任意の色温度の照明を行うことができる。
【００２８】
さらに、照明装置１０は、光源部１４ｃ〜１４ｅを構成する発光部ＬＲ，ＬＧ，ＬＢを備える。発光部ＬＲは、例えば、赤色ＬＥＤにより構成され、発光部ＬＧは、例えば、緑色ＬＥＤにより構成され、発光部ＬＢは、例えば、青色ＬＥＤにより構成される。調光レベル決定部１２は、光源部１４ｃ〜１４ｅを構成する発光部ＬＲ，ＬＧ，ＬＢの発光量を相互に独立して制御することにより、光源部１４ｃ〜１４ｅを１つの光源として任意の発光色の照明を行うことができる。即ち、光源部１４ｃ〜１４ｅは、基板２２，２３相互間に配置された基板２４から任意の色光を出射する。これにより、光源部１４ｃ〜１４ｅによる光を拡散性を有するカバー２１に照射しカバー２１自体の色を変化させることができる。つまり、カバー２１自体の色を背景光として利用した演出が可能である。すなわち、調光レベル決定部１２は、光源部１４ａおよび１４ｂから放射される主照明に加えて、光源部１４ｃ〜１４ｅから任意の色による背景光を放射させることができる。例えば、背景光として青色での照明を行うことにより、青空を演出することができる。これにより、例えば、室内に配置される照明装置１０を用いて屋外光をイメージさせることも可能である。
【００２９】
更に、本実施の形態においては、調光レベル決定部１２は、付加情報発生部１５からの付加情報に基づいて、光源部１４ａ〜１４ｅの発光を相互に独立して制御することができるようになっている。付加情報発生部１５は、１種類以上の付加情報を発生することができる。例えば、付加情報発生部１５は、図示しない時計またはタイマ回路を備えており、日時、季節、昼夜等の時間に関する付加情報を調光レベル決定部１２に出力することができるようになっていてもよい。また、例えば、付加情報発生部１５は、図示しない温度センサ、湿度センサ、明るさセンサ、画像センサ、光色センサ等の各種センサの出力を用いて、室内や室外の温度や湿度等の周囲環境に関する付加情報を調光レベル決定部１２に出力することができるようになっていてもよい。
【００３０】
調光レベル決定部１２は、第１及び第２調光信号Ｖｓｉ１，Ｖｓｉ２に基づいて発生する調光信号Ｖｓｏ１〜Ｖｓｏ５を、更に、付加情報に基づく信号に変換した後、出力することができるようになっている。
【００３１】
図３は、実施形態に係る照明装置１０の調光レベル決定部１２を示すブロック図である。調光レベル決定部１２は、入力部３２、プロセッサ３３、出力部３４及びメモリ３５が搭載された変換ユニット３１を有する。調光レベル決定部１２には変換ユニット用電源３６が設けられており、変換ユニット用電源３６は交流電源３７からの交流電源を元に変換ユニット３１に供給する電源電圧を発生する。変換ユニット３１の入力部３２は、入力された２つの調光信号Ｖｓｉ１およびＶｓｉ２を取り込んでプロセッサ３３に与える。入力部３２は、例えば、フォトカップラによって構成することができ、入力側とプロセッサ３３側とを電気的に分離する構成としてもよい。
【００３２】
プロセッサ３３には、付加情報発生部１５からの付加情報も与えられる。プロセッサ３３は、例えば、入力部３２を介して入力される２つの調光信号Ｖｓｉ１，Ｖｓｉ２及び付加情報に基づき、５つの独立した調光信号Ｖｓｏ１〜Ｖｓｏ５を出力する。出力部３４は、プロセッサ３３からの調光信号Ｖｓｏ１〜Ｖｓｏ５をそれぞれ駆動制御部１３ａ〜１３ｅに出力する。
【００３３】
メモリ３５は、調光信号Ｖｓｉ１，Ｖｓｉ２及び付加情報に基づいて調光信号Ｖｓｏ１〜Ｖｓｏ５を発生するための情報を記憶する。プロセッサ３３は、メモリ３５にアクセスし、調光信号Ｖｓｉ１，Ｖｓｉ２及び付加情報に対応する情報を読出して、読出した情報を用いて５つの調光信号Ｖｓｏ１〜Ｖｓｏ５を生成する。なお、図示しない入力装置によって、メモリ３５の情報をユーザによって変更可能に構成されていてもよい。
【００３４】
調光信号Ｖｓｉ１，Ｖｓｉ２は、外部から供給される信号であり、例えば、ユーザの調光操作に基づく信号である。従って、調光信号Ｖｓｉ１，Ｖｓｉ２は、例えばユーザによる調光操作時のみ変化し、以後は一定の信号である。一方、付加情報は、例えば時間や温度、湿度等の周囲環境や外部からの情報等により変化する情報である。外部からの情報としては、各種センサの出力信号やインターネット等のネットワーク回線から取得される情報等がある。例えば、インターネット等から取得する天気に関する情報や防災に関する情報等を付加情報として入手してもよい。また、スポーツの勝敗に関する情報や試合の得点に関する情報や警報に関する情報等、様々な情報を付加情報として入手することができる。更に、付加情報発生部１５は、取得した各種情報等を組み合わせて、付加情報を生成しても良い。
【００３５】
本実施の形態においては、メモリ３５には、例えば、付加情報に基づいてユーザが好みの演出方法で照明を行うための情報が記述されている。メモリ３５に、調光信号Ｖｓｉ１，Ｖｓｉ２及び付加情報のそれぞれの値に対応する５つの調光信号Ｖｓｏ１〜Ｖｓｏ５の各値の情報が記憶されている場合には、プロセッサ３３は、入力された調光信号Ｖｓｉ１，Ｖｓｉ２及び付加情報に基づいてメモリ３５から調光信号Ｖｓｏ１〜Ｖｓｏ５を読出して出力する。また、メモリ３５に、調光信号Ｖｓｉ１，Ｖｓｉ２及び付加情報をパラメータとして、５つの調光信号Ｖｓｏ１〜Ｖｓｏ５を生成するためのプログラムが記憶されている場合には、プロセッサ３３は、メモリ３５からプログラムを読出して、入力された調光信号Ｖｓｉ１，Ｖｓｉ２及び付加情報をパラメータとしてプログラムを実行することで、５つの調光信号Ｖｓｏ１〜Ｖｓｏ５を生成してもよい。また、プロセッサ３３は、先ず、調光信号Ｖｓｉ１，Ｖｓｉ２に基づいて５つの調光信号Ｖｓｏ１〜Ｖｓｏ５を生成した後、付加情報に基づいて、生成した調光信号Ｖｓｏ１〜Ｖｓｏ５を修正して、出力するようになっていてもよい。
【００３６】
次にこのように構成された実施の形態の動作について説明する。
【００３７】
いま、光源部１４ａが昼光色の光源であり、光源部１４ｂが電球色の光源であり、光源部１４ｃ〜１４ｅが所定の色光を出射する１つの光源として機能するものとする。また、調光信号Ｖｓｉ１，Ｖｓｉ２はそれぞれ昼光色と電球色の照明を制御するための信号であるものとする。そして、メモリ３５に、昼光色の光源部１４ａ及び電球色の光源部１４ｂを制御する２つの調光信号Ｖｓｉ１，Ｖｓｉ２に対して、予め、光源部１４ｃ〜１４ｅによってどのような色光を出すかを決定するための情報が記憶されているものとする。
【００３８】
例えば、調光レベル決定部１２のプロセッサ３３は、先ず、入力された調光信号Ｖｓｉ１，Ｖｓｉ２に基づいてメモリ３５から光源部１４ａ〜１４ｅを調光制御するための情報を読み出して、調光信号Ｖｓｏ１〜Ｖｓｏ５を生成する。更に、プロセッサ３３は、付加情報発生部１５から入力される付加情報に基づいて、生成した調光信号Ｖｓｏ１〜Ｖｓｏ５を修正する。
【００３９】
例えば、付加情報発生部１５から付加情報として日時情報がプロセッサ３３に入力されるものとする。プロセッサ３３は、入力された日時を示す付加情報に基づいて、メモリ３５に予め記録されている調光信号Ｖｓｏ１〜Ｖｓｏ５にそれぞれ対応する係数情報を読み出し、調光信号Ｖｓｉ１，Ｖｓｉ２のみに基づいて生成した調光信号Ｖｓｏ１〜Ｖｓｏ５に各係数を付与して、調光信号Ｖｓｏ１〜Ｖｓｏ５を得るようにしてもよい。これにより、調光信号Ｖｓｉ１，Ｖｓｉ２によって調光された昼光色、電球色及び所定の色光を放射する光源部１４ａ〜１４ｅは、時間の経過に対応した付加情報によって、更に、調光制御されることになる。
【００４０】
例えば、付加情報によって昼間の時間帯が示された場合には、作業に適した昼光色の照明が行われるように、光源部１４ａの光量を光源部１４ｂの光量に比べて大きくすると共に、光源部１４ｃ〜１４ｅによって、青空を想起させる青っぽい照明光を放射させることができる。また、例えば、付加情報によって夕方の時間帯が示された場合には、くつろぎ感が得られる暖色の照明が行われるように、光源部１４ｂの光量を光源部１４ａの光量に比べて大きくすると共に、光源部１４ｃ〜１４ｅによって、夕日を想起させる赤っぽい照明光を放射させることができる。
【００４１】
また、調光レベル決定部１２は、付加情報に基づいて、様々な調光制御が可能である。例えば、付加情報によって季節や天気が示された場合には、調光レベル決定部１２は、調光信号Ｖｓｉ１，Ｖｓｉ２に基づく調光制御を、季節に応じて、或いは天気の情報に応じて変更するようにしてもよい。例えば、同一時間帯であっても、夏場においては青っぽい色光等の比較的冷たく感じる光の光量を増大させ、冬場においては赤っぽい色光等の比較的暖かく感じる光の光量を増大させるようにしてもよい。調光レベル決定部１２は、各種付加情報を組み合わせて用いて、きめ細やかな調光制御を行うことが可能である。これにより、演色性に優れた調光制御が可能である。
【００４２】
このように、本実施の形態においては、調光信号の系統数よりも多い数の光源を調光制御可能にすることにより、簡単な調光操作によって太陽光と青空をイメージさせる照明や電球色の夜間照明などを任意に演出することが可能となるだけでなく、付加情報を利用することで、時間や、周囲環境や外部からの情報等に基づいて、ユーザの好みの演出法で自動的に照明を制御することが可能である。
（第２の実施の形態）
図４は第２の実施の形態を示すブロック図である。図４において図１と同一の構成要素には同一符号を付して説明を省略する。本実施の形態の照明装置４０は付加情報発生部１５に代えて付加情報発生部４１を採用したものである。付加情報発生部４１は、情報受信部４２及び付加情報生成部４３を有している。また、照明装置４０は人感センサ４５を有している。人感センサ４５は、例えば、赤外線等を利用して、人が検知エリアに進入すると人感検知信号を出力することができるようになっている。
【００４３】
情報受信部４２は、人感センサ４５からの人感検知信号を受信して付加情報生成部４３に与える。付加情報生成部４３は、人感検知信号に基づいて付加情報を生成し、生成した付加情報を調光レベル決定部１２に出力するようになっている。
【００４４】
このように構成された実施の形態においても、調光レベル決定部１２は、調光信号Ｖｓｉ１，Ｖｓｉ２及び付加情報に基づいて、調光信号Ｖｓｏ１〜Ｖｓｏ５を発生する。例えば、調光レベル決定部１２は、人感検知信号に基づく付加情報が入力されていない場合には、調光信号Ｖｓｉ１，Ｖｓｉ２のみに基づいて調光信号Ｖｓｏ１〜Ｖｓｏ５を発生する。この場合でも、調光操作に応じて、例えば、太陽光と青空をイメージさせる照明や電球色の夜間照明などを任意に演出することができる。
【００４５】
ここで、人感センサ４５によって、人の進入が検知され、人感検知信号が付加情報発生部４１に出力されるものとする。そうすると、付加情報生成部４３は、人が検知されたことを示す付加情報を調光レベル決定部１２に出力する。調光レベル決定部１２は、付加情報に基づいて、調光信号Ｖｓｏ１〜Ｖｓｏ５を修正する。例えば、調光レベル決定部１２は、人感検知信号に基づく付加情報が入力されると、光源部１４ａ〜１４ｅの光量を増大させるように調光信号Ｖｓｏ１〜Ｖｓｏ５を修正する。これにより、人が検知エリアに進入すると、演色性を維持したまま、より明るい照明を行うことができる。
【００４６】
また、例えば、調光レベル決定部１２は、人感検知信号に基づく付加情報が入力されると、光源部１４ａ〜１４ｅにより青っぽい色光や赤っぽい色光等、ユーザの設定に応じた色光が放射されるように、調光信号Ｖｓｏ１〜Ｖｓｏ５を修正してもよい。これにより、人が検知エリアに進入すると、ユーザの希望に応じた演出が可能である。
【００４７】
このように本実施の形態においては、第１の実施の形態と同様の効果が得られると共に、人感センサを利用することで、人が近接した場合とそうでない場合とで、異なる演出が可能である。
（第３の実施の形態）
図５は第３の実施の形態を示すブロック図である。図５において図４と同一の構成要素には同一符号を付して説明を省略する。本実施の形態の照明装置５０は付加情報発生部４１に代えて付加情報発生部５１を採用したものである。付加情報発生部５１は、外部情報受信部５２及び付加情報生成部５３を有している。外部情報受信部５２には、外部に設けられた人感センサ５５からの人感検知信号を受信することができるようになっている。人感センサ５５は、例えば、赤外線等を利用して、人が検知エリアに進入すると人感検知信号を出力することができるようになっている。
【００４８】
外部情報受信部５２は、人感センサ５５からの人感検知信号を受信して付加情報生成部５３に与える。付加情報生成部５３は、人感検知信号に基づいて付加情報を生成し、生成した付加情報を調光レベル決定部１２に出力するようになっている。
【００４９】
このように構成された実施の形態においては、付加情報生成部５３が、外部に設けられた人感センサ５５の出力に基づいて付加情報を生成する点が第２の実施の形態と異なるのみである。
【００５０】
このように本実施の形態においても、第２の実施の形態と同様の効果を得ることができる。また、本実施の形態においては、人感センサは外部に配置することができるので、人感センサの配置位置の自由度が高い。このため、壁等の影響を受けることなく人が接近する前に事前に照明を変更する等の制御も可能である。
【００５１】
また、図１では１台の人感センサのみを配置した例を示したが、本実施の形態においては、複数台の人感センサからの人感検知信号を外部情報受信部において受信するようになっていてもよい。この場合には、複数台の照明装置間において、連携した照明制御が可能である。例えば、連続的に配置した照明装置の照明色を、人の移動に連動させて順次変化させる等の制御も可能である。複数台の人感センサの出力を利用することで、人が検知エリアに入る前に人の進入を予測することもでき、より滑らかな制御が可能となる。例えば、１つの人感検知エリア内においても、演色方法を変化させることも可能である。
【００５２】
なお、上記第２及び第３の実施の形態においては、人感センサの人感検知信号を付加情報に利用する例を示したが、照度センサ等の他のセンサの検知結果を付加情報に利用してもよいことは明らかである。
（第４の実施の形態）
図６は第４の実施の形態を示すブロック図である。図６において図５と同一の構成要素には同一符号を付して説明を省略する。本実施の形態の照明装置６０は付加情報発生部５１に代えて付加情報発生部６１を採用したものである。付加情報発生部６１は、情報受信部６２及び付加情報生成部６３を有している。情報受信部６２は、外部に設けられた回線接続部６５からの情報を受信することができるようになっている。情報受信部６２は受信した情報を付加情報生成部６３に与える。付加情報生成部６３は、入力された情報に基づいて付加情報を生成し、調光レベル決定部１２に出力する。
【００５３】
回線接続部６５は、所定のネットワーク６６に接続することができるようになっている。インターネット等のネットワーク６６には、図示しないサーバ等が接続されており、回線接続部６５は、各種サーバ等からの情報を取得して情報受信部６２に出力することができるようになっている。例えば、回線接続部６５は、ネットワーク６６に接続されたサーバから天気情報を取得することもできる。この場合には、付加情報生成部６３は、天気情報に基づく付加情報を調光レベル決定部１２に出力することができる。
【００５４】
このように構成された実施の形態においては、ネットワーク６６上の各種サーバ等の情報が回線接続部６５を介して情報受信部６２に供給される。情報受信部６２は受信した情報を付加情報生成部６３に与える。付加情報生成部６３は、入力された情報に基づく付加情報を生成して調光レベル決定部１２に与える。これにより、調光レベル決定部１２は、調光信号Ｖｓｉ１，Ｖｓｉ２だけでなく、ネットワーク６６から取得した各種情報に基づく付加情報によって調光信号Ｖｓｏ１〜Ｖｓｏ５を生成することができる。
【００５５】
これにより、調光レベル決定部１２は、調光信号Ｖｓｉ１，Ｖｓｉ２に基づいて生成した調光信号Ｖｓｏ１〜Ｖｓｏ５を、ネットワーク６６から取得した各種情報、例えば天気情報に応じて修正することができる。例えば、調光信号Ｖｓｉ１，Ｖｓｉ２に基づく光源部１４ａ〜１４ｅによる照明を、時々刻々変化する天気に応じて変化させることも可能である。
【００５６】
このように本実施の形態においても、上記各実施の形態と同様の効果を得ることができる。更に、本実施の形態においては、ネットワーク上の膨大な量の情報を利用することができ、ユーザが要求する様々な希望に応じた多彩な演出効果を期待することができる。
【００５７】
以上本発明の実施形態を説明したが、実施形態は例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５８】
１０…照明装置、１１ａ，１１ｂ…調光信号受信部、１２…調光レベル決定部、１３ａ〜１３ｅ…駆動制御部、１４ａ〜１４ｅ…光源部、１５…付加情報発生部。
【図１】
0006601274.tif 000002
【図２Ａ】
0006601274.tif 000003
【図２Ｂ】
0006601274.tif 000004
【図２Ｃ】
0006601274.tif 000005
【図３】
0006601274.tif 000006
【図４】
0006601274.tif 000007
【図５】
0006601274.tif 000008
【図６】
0006601274.tif 000009